(57)【要約】【課題】カメラ本体に対して交換レンズを無線通信手段で管理する。【解決手段】カメラ本体１にはＩＣタグリーダ２６を設け、交換レンズ２Ａ〜２ＣにはＩＣタグ３７Ａ〜３７Ｃを設け、カメラ本体１は交換レンズ２Ａ〜２Ｃと定期的に無線通信を行い、交換レンズ２Ａ〜２Ｃの何れかが通信可能な範囲よりも離れ、通信不能になると警告手段により警告を出し撮影者に注意を促す。【選択図】図８
2006178017.tif 000002
【特許請求の範囲】
【請求項１】
光学像を記録するカメラ本体と、該カメラ本体に着脱可能なアクセサリとを備えた光学機器において、前記カメラ本体は前記アクセサリと無線通信が可能な第１の無線通信手段を備え、前記アクセサリは前記カメラ本体と無線通信が可能な第２の無線通信手段を備え、前記カメラ本体は前記第１の無線通信手段と前記第２の無線通信手段との通信により、前記カメラ本体と前記アクセサリとの距離が所定距離以上になったことを検出した場合に警告を出力する警告手段を備えたことを特徴とする光学機器。
【請求項２】
前記カメラ本体は前記カメラ本体と前記アクセサリとの距離が所定距離以上離れ、無線通信が不能になった場合に警告を出力する第２の警告手段を備えたことを特徴とする請求項１に記載の光学機器。
【請求項３】
前記カメラ本体は無線通信により前記アクセサリの個体を識別する個体識別情報を取得し、前記カメラ本体と前記アクセサリとの距離が所定距離以上離れて無線通信が不能になった場合に、無線通信が不能になった前記アクセサリの個体を特定し、前記個体識別情報を表示する表示手段を備えたことを特徴とする請求項１に記載の光学機器。
【請求項４】
前記第１の無線通信手段はＩＣタグリーダ、前記第２の無線通信手段はＩＣタグとし、該ＩＣタグは前記ＩＣタグリーダから電力の供給を受けるようにした請求項１に記載の光学機器。
【発明の詳細な説明】
【技術分野】
【０００１】
本発明は、アクセサリとの間で無線通信手段を備えた光学機器に関するものである。
【背景技術】
【０００２】
近年、デジタルカメラ等の光学機器において、無線通信手段を備え周辺機器との通信を無線通信で行う光学機器が知られている。例えば、特許文献１に記載の電子カメラでは、撮影した画像を一旦メモリカードに記録した後に、メモリカード内の画像ファイルを無線通信インタフェース部から、自動的にファイルサーバに送信する提案がなされている。また、特許文献２に記載の電子カメラでは、無線によってプリンタやパソコン等の外部装置と通信を行うことにより、複数の外部装置に対して並行してデータ送信を行うことが可能であり、その際に各外部装置に適した送信処理を行うことにより、データ送信の際の処理効率を向上させる提案がなされている。
【０００３】
【特許文献１】特開２００３−２６４７２９号公報
【特許文献２】特開２００２−５７９３６号公報
【発明の開示】
【発明が解決しようとする課題】
【０００４】
ところで、デジタルカメラや銀塩カメラ等の光学機器で撮影を行う際に、カメラ単体だけでなく外部ストロボやレリーズケーブル等のアクセサリを使用することが多い。特に、レンズ交換式の一眼レフカメラにおいては、１台のカメラに対して数本の交換レンズを持ち歩いて撮影を行うことが通常であり、携帯する交換レンズやアクセサリの数が多いほど紛失や盗難の危険性があり、それを予防する対策が必要とされている。
【０００５】
しかしながら、従来の技術では光学機器に搭載された無線通信手段を、アクセサリの紛失や盗難の防止に使用している例は知られていない。
【０００６】
本発明の目的は、上述の問題点を解消し、カメラ本体に付属して使用するアクセサリの紛失や盗難を防止し得る光学機器を提供することにある。
【課題を解決するための手段】
【０００７】
上記目的を達成するための本発明に係る光学機器の技術的特徴は、光学像を記録するカメラ本体と、該カメラ本体に着脱可能なアクセサリとを備えた光学機器において、前記カメラ本体は前記アクセサリと無線通信が可能な第１の無線通信手段を備え、前記アクセサリは前記カメラ本体と無線通信が可能な第２の無線通信手段を備え、前記カメラ本体は前記第１の無線通信手段と前記第２の無線通信手段との通信により、前記カメラ本体と前記アクセサリとの距離が所定距離以上になったことを検出した場合に警告を出力する警告手段を備えたことにある。
【発明の効果】
【０００８】
本発明に係る光学機器によれば、無線通信手段を駆使することによりアクセサリの紛失や盗難を防止することができる。
【発明を実施するための最良の形態】
【０００９】
本発明を図示の実施例に基づいて詳細に説明する。
【実施例１】
【００１０】
図１は実施例に係る光学機器の構成図である。カメラ本体１には交換レンズ２がマウントを介して接続可能とされている。カメラ本体１には、交換レンズ２の光軸上に、ハーフミラーから成る可動のメインミラー１１、サブミラー１２、撮像素子であるＣＣＤ１３が配列され、メインミラー１１の上方への反射方向の光路上には、ファインダスクリーン１４、ペンタプリズム１５、接眼レンズ１６が配列されている。また、ペンタプリズム１５の出射方向の一部には被写体の輝度を測定する測定センサ１７が設けられている。更に、サブミラー１２の反射方向には焦点検出センサ１８が配置されている。
【００１１】
ＣＣＤ１３の出力はＣＣＤ制御部１９、画像処理部２０、ＬＣＤ制御部２１、表示駆動部２２を介して表示装置２３に接続されている。ＣＣＤ制御部１９、画像処理部２０はカメラＣＰＵ２４と接続され、カメラＣＰＵ２４はＬＣＤ制御部２１、焦点検出センサ１８、レリーズ動作操作回路２５、ＩＣタグリーダ２６、警告手段２７、メインスイッチＳＷＭ、レリーズ動作操作回路２５に連動したスイッチＳＷ１、ＳＷ２に接続されている。そして、カメラＣＰＵ２４は交換レンズ２とコネクタ２８を介して電気的に接続可能とされている。
【００１２】
交換レンズ２には、撮影レンズ３１が設けられ、撮影レンズ３１はフォーカスアクチュエータ３２により焦点調節されるフォーカシングレンズ３３、公知の変倍操作により撮影レンズ３１の焦点距離を変化させる変倍レンズ３４により構成されている。また交換レンズ２内には、交換レンズＲＯＭ、ＲＡＭを有する１チップマイコンから成り、コネクタ２８と接続可能とされたレンズＣＰＵ３５が設けられ、レンズＣＰＵ３５の出力はモータドライバ３６を介してフォーカスアクチュエータ３２に接続されており、レンズＣＰＵ３５はＲＯＭに格納されたシーケンスプログラムに従って、フォーカスアクチュエータ３２の駆動、カメラＣＰＵ２４との通信を行うようにされている。
【００１３】
更に、交換レンズ２内にはＩＣタグ３７が内蔵されており、カメラ本体１のＩＣタグリーダ２６から無線通信でＩＣタグ３７に記録してある情報を読み出すことができる。このＩＣタグ３７には、工場出荷時に交換レンズ２の機種名を示す情報と、個体を識別する情報、例えば製造番号を書き込んでおく。なお、ＩＣタグ３７の電源はＩＣタグリーダ２６から無線で供給され、電力に変換される。
【００１４】
ここで、カメラＣＰＵ２４はＲＯＭ、ＲＡＭ、Ａ／Ｄ及びＤ／Ａ変換機能を有する１チップマイコンであり、ＲＯＭに格納されたシーケンスプログラムに従って、自動露出制御、自動焦点調節、ＣＣＤ１３、表示装置２３の制御、レンズＣＰＵ３５との通信を行う。
【００１５】
ＣＣＤ制御部１９はＣＣＤ１３に転送クロック信号やシャッタ信号を供給するためのタイミングジェネレータ、ＣＣＤ出力信号のノイズ除去、ゲイン処理を行うための回路、及びアナログ信号を１０ビットデジタル信号に変換するためのＡ／Ｄ変換回路などを含んでいる。画像処理部２０はＣＣＤ制御部１９から出力された１０ビットデジタル信号をガンマ変換、色空間変換、またホワイトバランス、ＡＥ、フラッシュ補正等の画像処理を行い、ＹＵＶ（４：２：２）フォーマットの８ビットデジタル信号の出力を行う。
【００１６】
ＬＣＤ制御部２１は画像処理部２０から転送されたＹＵＶデジタル画像データを受け取り、ＲＧＢデジタル信号に変換した後に、表示駆動部２２に出力する処理を行う。表示駆動部２２は例えば画像を表示するＶＧＡ規格（６４０×４８０ドット）のＴＦＴ液晶から成る表示装置２３を駆動するための制御を行う。
【００１７】
レリーズ動作操作回路２５は図示しないレリーズボタンにより作動し、メインミラー１１及びサブミラー１２をクイックリターン制御するための図示しないモータ、図示しない絞りの駆動制御を行う。
【００１８】
カメラ本体１のＩＣタグリーダ２６は交換レンズ２のＩＣタグ３７と無線通信を行い、ＩＣタグ３７に記録されている交換レンズ２の機種名を示す情報と、個体を識別する情報、例えば製造番号を読み出し、これらの情報をカメラＣＰＵ２４内のＲＡＭに書き込む。
【００１９】
メインスイッチＳＷＭはカメラの外装部材に設けられ、撮影者によるスイッチつまみの切換操作、或いはカメラ本体１のグリップを握る等の動作でオンとなるスイッチであり、メインスイッチＳＷＭがオンされると、カメラＣＰＵ２４はＲＯＭに格納された所定のシーケンスプログラムを実行する。スイッチＳＷ１、ＳＷ２はレリーズボタンに連動したスイッチであり、レリーズボタンの第１段階の押下によりスイッチＳＷ１がオンし、引き続いて第２段階までの押下でスイッチＳＷ２がオンする。カメラＣＰＵ２４はスイッチＳＷ１のオンで測光露出演算、自動焦点調節動作、ホワイトバランス、ＡＥ等のカメラ設定のロック動作等を行い、スイッチＳＷ２のオンをトリガとしてキャプチャ信号の取り込み動作を行う。
【００２０】
図２は動作フローチャート図である。ステップＳ１０１で図示しない電源スイッチがオンされると、カメラＣＰＵ２４にも電源が投入され、ステップＳ１０２に進んでカメラＣＰＵ２４は所定のプログラムの実行を開始する。なお、電源スイッチは電池装填により自動的に切換わるスイッチ、或いは手動操作で電源投入回路を切換えるスイッチや、電源装填動作の何れでもよい。
【００２１】
ステップＳ１０２では、カメラＣＰＵ２４内のＲＡＭに設定されている制御用のフラグ変数を全てクリアして初期化する。そして、次のステップＳ１０３において、メインスイッチＳＷＭの状態判別を行い、メインスイッチＳＷＭがオフであればステップＳ１０２へ戻り、スイッチＳＷＭがオンとなるまで上記ステップを繰り返し実行し待機状態となる。
【００２２】
その後に、メインスイッチＳＷＭがオンと判定されるとステップＳ１０４に進み、ここではＣＣＤ１３、ＣＣＤ制御部１９を含むＣＣＤモジュールを動作可能な状態（ｅｎａｂｌｅ）にし、次のステップＳ１０５で撮影時に被写体を確認するための表示装置２３の動作を開始する。続くステップＳ１０６では、スイッチＳＷ１のオンオフ検出を行い、このスイッチＳＷ１がオフであればステップＳ１０６に留まり、スイッチＳＷ１の状態検出を繰り返す。
【００２３】
その間に、メインミラー１１により交換レンズ２からの光束をペンタプリズム１５とＣＣＤ１３に分割し、サブミラー１２はメインミラー１１の透過光を焦点検出センサ１８に導く。
【００２４】
スイッチＳＷ１がオンであることを判定するとステップＳ１０７に進み、測光センサ１７により被写体輝度を測定し、この輝度情報に基づいて所定のプログラムに従い、絞り制御値とシャッタ秒時制御値を演算する。そして、ステップＳ１０８で焦点検出センサ１８により被写体のデフォーカス量を検出し、カメラＣＰＵ２４はデフォーカス量を交換レンズ２のレンズＣＰＵ３５に送信する。レンズＣＰＵ３５は受信したデフォーカス量に基づいてアクチュエータ３２を駆動して焦点調節を行う。
【００２５】
続くステップＳ１０９では、スイッチＳＷ２のオンオフ判別を行い、スイッチＳＷ２がオフであればステップＳ１０６に戻って、ステップＳ１０７、Ｓ１０８を繰り返すが、スイッチＳＷ２がオンとなるとステップＳ１１０に進む。
【００２６】
ステップＳ１１０に進むと、ここではメインミラー１１のアップ動作を行い、次のステップＳ１１１でＣＣＤ制御部１９によりキャプチャ信号の取り込みを行い、画像処理部２０の所定の処理後に、ＹＵＶ信号のデータを図示しないＲＡＭ中の画素展開エリアに書き込む。このデータはＪＰＥＧ規格に準拠した画像圧縮処理を行った後に、図示しないデータ格納手段に画像ファイルとして書き込む。続いて、ステップＳ１１２でメインミラー１１のダウン動作を行う。その後に、再びステップＳ１０６に進み、スイッチＳＷ１のオンオフの判別を行う。
【００２７】
図３はカメラ本体１に交換レンズ２を登録する操作のフローチャート図である。カメラＣＰＵ２４はカメラ本体１の筐体に設けられた図示しないレンズ登録スイッチの操作や、表示装置２３に表示されるメニュー画面によりレンズ登録モードを実行されると、ステップＳ２０１のレンズ登録ルーチンを開始する。
【００２８】
ステップＳ２０２では、ＩＣタグリーダ２６を起動して交換レンズ２との間の無線通信を開始し、例えば約３ｍの通信可能範囲内にある交換レンズ２のＩＣタグ３７と通信を行う。ステップＳ２０３では、受信したレンズの機種名情報（焦点距離、開放絞り値等）や個体識別情報（製造番号等）をカメラＣＰＵ２４のＲＡＭに保存する。ステップＳ２０４では無線通信を終了する。
【００２９】
ここで図４の模式図は、図３のステップＳ２０２〜Ｓ２０４で説明した動作を示し、カメラ本体１のＩＣタグリーダ２６は無線通信の可能範囲内にある交換レンズ２Ａ〜２ＣのＩＣタグ３７Ａ〜ＩＣタグ３７Ｃと通信を行い、交換レンズ２の機種名情報や個体識別情報を受信し登録する。
【００３０】
この通信は無線で行われるため、カメラ本体１と交換レンズ２は装着されている必要はない。また、通信可能範囲内に交換レンズ２があれば、一度の操作で複数の交換レンズ２を登録することができる。再び図３のフローチャート図に戻り、ステップＳ２０５では、表示装置２３に現在登録されている交換レンズ２を表示する。
【００３１】
図５は登録された交換レンズ２の一覧が、表示装置２３に表示されている様子を示している。再び図３に戻り、ステップＳ２０６では、カメラＣＰＵ２４はタイマをスタートする。このタイマは一定時間毎にＩＣタグリーダ２６とＩＣタグ３７とにより無線通信を行い、交換レンズ２がカメラ本体１の通信範囲内にあるかどうかを確認するタイマ割り込みを発生させるために使用する。ステップＳ２０７でレンズ登録ルーチンを終了する。
【００３２】
図６は一定時間毎に行われるＩＣタグの通信確認割り込み処理を示すフローチャート図である。ＩＣタグの通信割り込み確認処理はタイマ割り込みであり、例えば５秒毎の一定時間毎にステップＳ３０１からの通信確認ルーチンを実行する。
【００３３】
ステップＳ３０２では、ＩＣタグリーダ２６を起動して無線通信を開始し、通信可能範囲内にある交換レンズ２のＩＣタグ３７と通信を行う。ステップＳ３０３では、ＩＣタグリーダ２６がＩＣタグ３７と通信できたかどうかを判別し、通信可能あった場合はステップＳ３０４に進み、通信不能であった場合はステップＳ３０５に進む。ステップＳ３０４では、受信した交換レンズ２の機種名情報（焦点距離、開放絞り値等）や個体識別情報（製造番号等）が登録されている情報と一致するかどうかを判別する。一致していればステップＳ３０７に進み、一致していなければステップＳ３０５に進む。
【００３４】
ステップＳ３０５では、ＩＣタグリーダ２６とＩＣタグ３７が通信不能であり、交換レンズ２がカメラ本体１から通信可能範囲である約３ｍ以上離れているので、紛失や盗難の虞れがあるため警告手段２７による発音や発光による警告を発し撮影者に注意を促す。また、ＩＣタグリーダ２６とＩＣタグ３７が無線通信できた場合であっても、無線通信可能範囲内の他の交換レンズと通信したなどの理由などで、受信した交換レンズ２の機種名情報や個体識別情報が登録されているものと異なっている場合には、登録した交換レンズ２は紛失や盗難の虞れがあるので、同様に警告を発し撮影者に注意を促す。
【００３５】
次にステップＳ３０６では、無線通信が不能となった交換レンズ２を表示装置２３に表示する。図７は通信不能になった交換レンズ２の一覧が表示装置２３に表示されている様子を示している。再び図６に戻り、ステップＳ３０７では無線通信を終了し、ステップＳ３０８では通信確認ルーチンを終了する。
【００３６】
次に、図８はＩＣタグの通信確認の概念図である。図示のように複数の交換レンズ２がカメラ本体１に登録されている場合に、ＩＣタグリーダ２６は交換レンズ２Ａ〜２Ｃのそれぞれと無線通信を行い、その中の１本でも通信可能範囲を越えていると警告を発する。
【００３７】
このように本実施例では、カメラ本体１にＩＣタグリーダ２６を、交換レンズ２にＩＣタグ３７を備え、交換レンズ２がＩＣタグリーダ２６の無線通信の可能範囲を越えると警告を発することにより、交換レンズ２の紛失や盗難を防止することができ、特に１台のカメラ本体１に対し、複数の交換レンズ２を持ち歩く際に有効である。
【００３８】
なお、本実施例では無線通信手段として交換レンズ２内に電源を持たないＩＣタグ３７を備えた例を説明したが、例えば交換レンズ２内にも電源を設け、カメラ本体１と交換レンズ２で双方向に通信できる無線通信手段を使用してもよい。
【００３９】
また本実施例では、カメラ本体１に取り付けられるアクセサリとして、交換レンズ２の例を説明したが、その他にもストロボ、ケーブルレリーズ、バッテリ等のアクセサリに適用してもよい。
【図面の簡単な説明】
【００４０】
【図１】実施例の構成図である。
【図２】動作フローチャート図である。
【図３】交換レンズを登録する場合の動作フローチャート図である。
【図４】カメラ本体と交換レンズの無線通信の模式図である。
【図５】交換レンズの一覧を表示した表示装置の説明図である。
【図６】カメラ本体のＩＣタグとの通信確認割り込み処理のフローチャート図である。
【図７】通信不能になった交換レンズの一覧を表示した表示装置の説明図である。
【図８】カメラ本体のＩＣタグとの通信確認動作の概念図である。
【符号の説明】
【００４１】
１  カメラ本体
２  交換レンズ
１３  ＣＣＤ
２３  表示装置
２４  カメラＣＰＵ
２６  ＩＣタグリーダ
２７  警告手段
３１  撮影レンズ
３５  レンズＣＰＵ
３７  ＩＣタグ
【図１】
2006178017.tif 000003
【図２】
2006178017.tif 000004
【図３】
2006178017.tif 000005
【図４】
2006178017.tif 000006
【図５】
2006178017.tif 000007
【図６】
2006178017.tif 000008
【図７】
2006178017.tif 000009
【図８】
2006178017.tif 000010